(57)【要約】【課題】コンポーネント信号を用いてホワイトバランス調整を不便なく実施することが可能なホワイトバランス調整システム、表示装置、及びホワイトバランス調整方法を提供する。【解決手段】まず、輝度値の異なる帯状画像により構成されるホワイトバランス調整画像の所定帯状画像を水平方向に拡大し画面に表示する。次に、画面に表示されたホワイトバランス調整画像の拡大された帯状画像を測定し、測定結果に基づいてホワイトバランス調整を実行する。【選択図】図５
2009260731.tif 000002
【特許請求の範囲】
【請求項１】
表示装置と、この表示装置にホワイトバランス調整用画像を出力する画像生成装置と、前記表示装置に表示されたホワイトバランス調整用画像の輝度を測定する輝度測定装置と、前記測定された結果に基づいて前記表示装置のホワイトバランスを調整する調整装置とから成るホワイトバランス調整システムにおいて、
前記画像生成装置は、隣接して配置されるとともに、各輝度値が階段状に増加した複数の帯状画像により構成されるホワイトバランス調整用画像をコンポーネント信号として前記表示装置に出力し、
前記表示装置は、
前記ホワイトバランス調整用画像を構成する所定輝度を備える前記帯状画像を拡大するスケーリング手段と、
前記拡大されたホワイトバランス調整用画像を表示する表示手段とを有し、
前記輝度測定装置は、前記拡大された帯状画像の輝度を測定し、
前記調整装置は、前記輝度測定装置により測定された輝度値に基づいて前記表示装置のホワイトバランスを調整することを特徴とするホワイトバランス調整システム。
【請求項２】
前記スケーリング手段は、前記所定の輝度値を備える帯状画像を前記表示装置の画面における水平方向に拡大することを特徴とする請求項１に記載のホワイトバランス調整システム。
【請求項３】
前記スケーリング手段は、前記帯状画像を前記輝度測定装置の測定用プローブの測定径より大きくなるよう拡大することを特徴とする請求項１又は請求項２のいずれかに記載のホワイトバランス調整システム。
【請求項４】
前記スケーリング手段は、前記ホワイトバランス調整用画像の内、３０パーセント及び７０パーセントの輝度である前記帯状画像を拡大することを特徴とする請求項１〜請求項３のいずれか一項に記載のホワイトバランス調整システム。
【請求項５】
本表示装置は、マイクロコンピュータと、このマイクロコンピュータに前記スケーリング手段の機能を実現させるプログラムとを有し、
前記プログラムにより前記マイクロコンピュータは、前記ホワイトバランス調整用画像の内、３０パーセント及び７０パーセントの輝度である前記帯状画像を、前記輝度測定装置の測定用プローブの測定径より大きくなるよう、前記表示装置の画面における水平方向に拡大することを特徴とする請求項１に記載のホワイトバランス調整システム。
【請求項６】
画面に表示される画像の特性を判断するためのカラー・バー画像を記憶する表示装置において、
前記カラー・バー画像は、コンポーネント信号により構成され、帯状画像を隣接して複数配置し、この帯状画像の解像度を各帯状画像毎に異ならせたホワイトバランス調整用画像であって、
前記ホワイトバランス調整用画像上の所定輝度値で表示された帯状画像を拡大するスケーリング手段と、
前記拡大されたホワイトバランス調整用画像を表示する表示手段とを具備することを特徴とする表示装置。
【請求項７】
画像生成装置が生成したホワイトバランス調整用画像を表示装置に表示し、前記表示装置に表示された前記ホワイトバランス調整用画像の輝度を輝度測定装置で測定し、前記測定された輝度値に基づいて調整装置により前記表示装置のホワイトバランスを調整するホワイトバランス調整方法において、
隣接して複数配置されるとともに、各輝度値が階段状に増加した帯状画像を備える前記ホワイトバランス調整用画像をコンポーネント信号として前記表示装置に出力する第一の工程と、
前記表示装置に入力された、前記ホワイトバランス調整用画像上の所定輝度値で表示された帯状画像を拡大する第二の工程と、
前記拡大されたホワイトバランス調整用画像を表示する第三の工程と、
前記輝度測定装置によって、前記表示されたホワイトバランス調整用画像における前記拡大された箇所の輝度値に基づいて前記表示装置のホワイトバランスを調整する第四の工程とを具備することを特徴とするホワイトバランス調整方法。
【発明の詳細な説明】
【技術分野】
【０００１】
本発明は、ホワイトバランスを調整させる表示装置、及び上記表示装置を使用したホワイトバランス調整システムに関するものである。
【背景技術】
【０００２】
従来、特定パターンで構成されたホワイトバランス用画像を画面上に表示させて、この表示されたホワイトバランス調整用画像の輝度を測定してホワイトバランス調整を行う技術が知られている。上記したホワイトバランス調整では、例えば、一画面上に高輝度領域と低輝度領域とを同時に表示し、この表示された高輝度及び低輝度領域を測定しつつ、機器の出力輝度を調整する。
【０００３】
例えば、表示パネルにカラーバー画像により構成されたテストパターンを表示してγ特性等を調整する画像調整システムが開示されている（例えば、特許文献１参照。）。
【０００４】
また、テストパターンとして、１０パーセントずつ階段状に増加するランプ信号を所定ステップに渡って切り替え、このランプ信号を測定してホワイトバランス調整を行う信号処理装置が開示されている（例えば、特許文献２参照。）。
【０００５】
そして、１０ステップごとに階調値の異なる画像を測定してホワイトバランス調整を行う映像投射装置が開示されている（例えば、特許文献３参照。）。
【特許文献１】特開２００７−１２１７３０号公報
【特許文献２】特開２０００−３４１７２２号公報
【特許文献３】特開平１０−１３３１６３号公報
【発明の開示】
【発明が解決しようとする課題】
【０００６】
コンポーネント信号は、輝度信号、同期信号、色信号をそれぞれ分解して扱えるようにした映像信号であり、コンポジット信号に比べ処理が複雑にならない等の優位性がある。  しかしながら、コンポーネント信号を用いたホワイトバランス調整用画像はまだ少なく、存在したとしても使い勝手が悪かった。
【０００７】
本発明は、上記課題に鑑みてなされたもので、コンポーネント信号を用いてホワイトバランス調整を不便なく実施することが可能なホワイトバランス調整システム、表示装置、及びホワイトバランス調整方法を提供する。
【課題を解決するための手段】
【０００８】
上記課題を解決するために、本発明の一局面として、表示装置と、この表示装置にホワイトバランス調整用画像を出力する画像生成装置と、前記表示装置に表示されたホワイトバランス調整用画像の輝度を測定する輝度測定装置と、前記測定された結果に基づいて前記表示装置のホワイトバランスを調整する調整装置とから成るホワイトバランス調整システムにおいて、前記画像生成装置は、隣接して配置されるとともに、各輝度値が階段状に増加した複数の帯状画像により構成されるホワイトバランス調整用画像をコンポーネント信号として前記表示装置に出力し、前記表示装置は、前記ホワイトバランス調整用画像を構成する所定輝度を備える前記帯状画像を拡大するスケーリング手段と、前記拡大されたホワイトバランス調整用画像を表示する表示手段とを有し、前記輝度測定装置は、前記拡大された帯状画像の輝度を測定し、前記調整装置は、前記輝度測定装置により測定された輝度値に基づいて前記表示装置のホワイトバランスを調整する。
【０００９】
上記のように構成された発明では、画像生成装置は、所定レベルで輝度の異なる帯状画像を隣接して複数配置したホワイトバランス調整用画像をコンポーネント信号として表示装置に出力する。また、表示装置は、スケーリング手段によりホワイトバランス調整用画像上の所定輝度で表示された前記帯状画像を拡大し、表示手段により、拡大されたホワイトバランス調整用画像を表示する。そして、輝度測定装置は、拡大された帯状画像の輝度を測定する。さらに、調整装置は、輝度測定装置により測定された輝度値に基づいて表示装置のホワイトバランスを調整する。
そのため、コンポーネント信号により構成された帯状画像から成るホワイトバランス調整用画像における特定輝度値を拡大して画面上に表示するため、輝度測定装置のプローブを測定対象に当て易くする等の理由により、ホワイトバランス調整を行い易くすることができる。また、コンポーネント信号により生成された通常のカラーバ信号においても、ホワイトバランス調整用画像として利用することができる。
【００１０】
好ましくは、前記スケーリング手段は、前記所定の輝度値を備える帯状画像を前記表示装置の画面における水平方向に拡大する。
上記のように構成された発明では、帯状画像を拡大する手法としては様々な方法を取り得るが、所定輝度値を備える帯状画像を画面の水平方向にのみ拡大することで、拡大処理時の演算量が低減されて処理が迅速に行なえるようになるため、ホワイトバランス調整に係る時間を低減させることができる。
【００１１】
好ましくは、前記スケーリング手段は、前記帯状画像を前記輝度測定装置の測定用プローブの測定径より大きくなるよう拡大する。
上記のように構成された発明では、測定対象となる帯状画像を測定用プローブの測定径より大きくなるよう拡大するため、作業者等が測定作業を行い易くなる。
【００１２】
好ましくは、前記スケーリング手段は、前記ホワイトバランス調整用画像の内、３０パーセント及び７０パーセントの輝度である前記帯状画像を拡大する。
上記のように構成された発明では、３０パーセント及び７０パーセント輝度値を備える帯状画像のみを拡大してホワイトバランス調整を行うため、処理を簡素化しつつ効果的にホワイトバランス調整を行うことができる。
【００１３】
本発明の他の局面として、本表示装置は、マイクロコンピュータと、このマイクロコンピュータに前記スケーリング手段の機能を実現させるプログラムとを有し、前記プログラムにより前記マイクロコンピュータは、前記ホワイトバランス調整用画像の内、３０パーセント及び７０パーセントの輝度である前記帯状画像を、前記輝度測定装置の測定用プローブの測定径より大きくなるよう、前記表示装置の画面における水平方向に拡大する。
【００１４】
本発明の他の局面として、画面に表示される画像の特性を判断するためのカラー・バー画像を記憶する表示装置において、前記カラー・バー画像は、コンポーネント信号により構成され、帯状画像を隣接して複数配置し、この帯状画像の解像度を各帯状画像毎に異ならせたホワイトバランス調整用画像であって、前記ホワイトバランス調整用画像上の所定輝度値で表示された帯状画像を拡大するスケーリング手段と、前記拡大されたホワイトバランス調整用画像を表示する表示手段とを具備する。
【００１５】
本発明の他の局面として、画像生成装置が生成したホワイトバランス調整用画像を表示装置に表示し、前記表示装置に表示された前記ホワイトバランス調整用画像の輝度を輝度測定装置で測定し、前記測定された輝度値に基づいて調整装置により前記表示装置のホワイトバランスを調整するホワイトバランス調整方法において、隣接して複数配置されるとともに、各輝度値が階段状に増加した帯状画像を備える前記ホワイトバランス調整用画像をコンポーネント信号として前記表示装置に出力する第一の工程と、前記表示装置に入力された、前記ホワイトバランス調整用画像上の所定輝度値で表示された帯状画像を拡大する第二の工程と、前記拡大されたホワイトバランス調整用画像を表示する第三の工程と、前記輝度測定装置によって、前記表示されたホワイトバランス調整用画像における前記拡大された箇所の輝度値に基づいて前記表示装置のホワイトバランスを調整する第四の工程とを具備する。
【発明の効果】
【００１６】
以上説明したように本発明によれば、コンポーネント信号を用いてホワイトバランス調整を不便なく実施することができる。
また請求項２にかかる発明によれば、帯状画像を水平方向に拡大するため、画像がどのようなパターンであるかを解析することなく拡大することができる。
そして請求項３にかかる発明によれば、測定対象となる帯状画像を測定用プローブの測定径より大きくなるよう拡大するため、作業者等が測定作業を行い易くなる。
さらに請求項４にかかる発明によれば、処理を簡素化しつつ効果的にホワイトバランス調整を行うことができる。
さらに請求項７のような、より具体的な構成において、上述した請求項２〜請求項４の各発明と同様の作用を奏することはいうまでもない。
【発明を実施するための最良の形態】
【００１７】
以下、図を参照しつつ下記の順序に従って本発明の実施形態を説明する。なお、図中、同一の符号を付した箇所は同一又は同等の箇所であり、その説明は繰返さない。
１．第一の実施の形態：
２．第二の実施の形態：
３．まとめ：
【００１８】
１．第一の実施の形態：
図１は、本発明に係るホワイトバランス調整システム１００（以下、ＷＢ調整システムと記載）の構成を説明するブロック図である。同図より、ＷＢ調整システム１００は、ホワイトバランス調整で使用されるホワイトバランス調整画像（以下、ＷＢ調整画像と記載）を生成する機能を備えるパターンジェネレータ（画像生成装置）９０と、上記ＷＢ調整用画像を画面に表示する機能を備える表示装置８０と、表示装置８０に表示されたＷＢ調整用画像における輝度値等を測定するカラーアナライザ（輝度測定装置）７０と、カラーアナライザ７０により測定された輝度値等に基づいて、表示装置８０のホワイトバランスを調整するホワイトバランス調整装置６０（以下、ＷＢ調整装置と記載）とで構成されている。
【００１９】
本ホワイトバランス調整システム１００により実行されるホワイトバランス調整（以下ＷＢ調整と記載）を概略的に説明する。工場内で図１に示すように各装置を配置し、パターンジェネレータ９０から特定パターンのＷＢ調整用画像を表示装置８０に出力する。表示装置８０は、受信したＷＢ調整用画像に対して特定輝度領域を拡大して、画面に表示する。カラーアナライザ７０は、表示装置８０の画面に表示されたＷＢ調整用画像の輝度値を測定し、測定結果をＷＢ調整装置６０に出力する。検査員等は、ＷＢ調整装置６０使用しつつ、受信した測定結果に基づいて表示装置８０のホワイトバランスの調整を行う。なお、ＷＢ調整装置６０により実行されるホワイトバランスの調整は自動で実行されるものであってもよい。
【００２０】
以下にホワイトバランス調整システム１００を構成する各部の機能をより詳細に説明する。
パターンジェネレータ９０は、表示装置８０におけるＷＢ調整に必要なＷＢ調整用画像の元となる画像データを生成し、この画像データを表示装置８０に出力する機能を備えている。パターンジェネレータ９０は、画像データを生成する画像データ生成部９１を備えており、この画像データ生成部９１で生成された画像データを配線１１０を通じて表示装置８０に出力する。なお、画像データ生成部９１は、画像データを生成するのみならず、予め画像データを記憶する記憶装置としての機能を備えるものであってもよい。また、パターンジェネレータ９０と表示装置８０とを配線１１０により接続する他、ネットワークを介して画像データを送信するものであってもよいし、無線を介して画像データを送信するものであってもよい。
【００２１】
カラーアナライザ７０は、表示装置８０が表示したＷＢ調整画像の輝度値を測定し、測定した輝度値をＷＢ調整装置６０に出力する機能を備えている。カラーアナライザ７０は、表示装置８０が表示するＷＢ調整画像における輝度値を測定する測定部７１と、この測定部７１により測定された輝度値に相当する値を一時記憶する記憶部７２とを備えている。
本実施の形態の測定部７１は、対物レンズと、光センサとを備える測定用プローブにより構成されており、例えば、その測定径は２０φから３０φである。
【００２２】
ＷＢ調整装置６０は、カラーアナライザ７０から入力された計測結果に基づいて、表示装置８０のホワイトバランスを調整する機能を備えている。ＷＢ調整装置６０は、入力された測定結果に基づいて表示装置８０のホワイトバランス調整を実行するためのＷＢ調整部６２を備えている。また、カラーアナライザ７０の駆動を制御する機能をも備えている。
【００２３】
本実施の形態におけるＷＢ調整装置６０は、例えば、ＰＣ（Personal Computer）により実現され、ＷＢ調整部６１は、ＣＰＵ(Central Processing Unit)６１とこのＣＰＵ６１に所定の機能を付与するプログラムにより実現される。具体的には、ＣＰＵ６１は、ＷＢ調整部６２により表示装置８０のγ補正部（後述）に対してγ補正係数が記憶された修正データを送信する。
【００２４】
表示装置８０は、カラーアナライザ７０から供給されるＷＢ調整画像を表示する機能の他、ＷＢ調整装置６０と接続して、ＷＢ調整装置６０から送信される修正データを受け付ける機能を備えている。図２は、表示装置８０の構成を説明するブロック図である。表示装置８０は、映像を表示するための機能を備えるディスプレイ（表示手段）４０と、表示装置８０の駆動を制御するメイン制御部５０とを備えている。
なお、表示装置８０がテレビジョン受信機である場合は、テレビジョン放送を受信するための機能を備えるチューナ部を備えている。
【００２５】
メイン制御部５０は、パターンジェネレータ等の外部装置から画像データを受け付ける機能を備えるデータＩ／Ｆ１２と、リモコン装置１２０及びＷＢ調整装置６０からの制御コマンドを受け付ける機能を備えるコマンドＩ／Ｆ１３と、データＩ／Ｆ１２を通じて取得した画像データに対して所定の信号処理を施す機能を備える画像処理部２０と、画像処理部２０により信号処理された画像データをディジタル／アナログ変換して駆動信号を生成し、この駆動信号をディスプレイ４０に供給する機能を備えるドライバ１１と、メイン制御部５０の駆動を制御する機能を備えるマイクロコンピュータ３０とを備えている。なお、上記した各部の間には、バスが設けられており、このバスを通じて互いに通信を行なう。
【００２６】
画像処理部２０は、取得した画像データに対して画素数変換処理を実施する機能を備えるスケーリング部（スケーリング手段）２１と、取得した画像データに対してγ補正を実行する機能を備えるγ補正部２２とを備えている。本実施の形態に係るスケーリング部２１及びγ補正部２２は、マイクロコンピュータ３０に上記した各機能を付与するプログラムにより実現さている。
【００２７】
スケーリング部２１は、マイクロコンピュータ３０に、取得された画像データの画素数を増加及び減少させて、画像データを拡大及び縮小させる画素数変換処理を実施する機能付与する。スケーリング部２１は、拡大対象としての画像データの各画素の座標を予めデータとして記憶しており、拡大範囲及び拡大倍率の指定とともに上記データに基づいて各画素を画素数変換処して画像データを拡大又は縮小する。なお、スケーリング部２１における画素数変換処理は従来技術であるため、説明は省略する。
【００２８】
γ補正部２２は、マイクロコンピュータ３０に、取得された画像データに対してγ補正を実行させる機能を付与する。また、γ補正部２２は、画像データに対してγ補正を実行するための複数のテーブルを記憶している。そのため、ＷＢ調整装置６０からγ補正係数が記録された修正データを受け付けると、マイクロコンピュータ３０はこの修正データに基づいて上記テーブルの値を変換することでホワイトバランス調整を実現する。
【００２９】
マイクロコンピュータ３０は、コマンドＩ／Ｆ１３を介してリモコン装置１２０からホワイトバランス調整を行なうコマンドが入力された場合に、このコマンドに基づいてスケーリング部２１の機能により画像データを画素数変換処理し、又γ補正部２２に記憶されるテーブルの値を修正して、ホワイトバランス調整を実現する。なお、本実施の形態では、画像処理部２０とマイクロコンピュータ３０とは別体により構成されているが、これに限定されるものではなく、画像処理部２０内にマイクロコンピュータ３０が実装されていてもよい。
【００３０】
１．２．ホワイトバランス調整用画像
図３は、パターンジェネレータ９０が生成するＷＢ調整用画像を説明するための図である。本実施の形態でのＷＢ調整用画像は、アナログのコンポーネント信号により生成されている。また、ＷＢ調整用画像は、グレースケールであって、所定レベルで輝度が異なる複数の帯状画像ＢＧ１〜９が隣接して配置されて構成されている。具体的には、図中左端の帯状画像ＢＧ１の階調値を黒（０％輝度）として、図中右に移行するに従いその輝度が１０％ずづ変化するよう各帯状画像の階調値が形成されている。
【００３１】
また、このパターンジェネレータ９０が生成するＷＢ調整用画像は、ＷＢ調整にのみ使用される画像ではなく、他の用途に使用する画像を流用するものであってもよい。具体的には、ビデオ信号の伝送特性や、モニタの特性を確認するために使用されるいわゆるカラー・バー画像を用いるものであってもよい。表示装置８０がカラー・バー画像を予めメモリ等に記録する場合は、このカラー・バー画像を利用することでパターンジェネレータ９０を使用しなくとも、表示装置８０のホワイトバランスを調整することが可能となる。
【００３２】
１．３．ホワイトバランス調整
以下図４を参照して、本ホワイトバランス調整システム１００におけるホワイトバランス調整を説明する。図４は、ホワイトバランス調整時における表示装置８０とＷＢ調整装置６０の処理を説明する流れ図である。まず、パターンジェネレータ９０、表示装置８０、ＷＢ調整装置６０、カラーアナライザ７０とを図１に示すように互いを接続し、カラーアナライザ７０の測定用プローブを表示装置８０の画面上の３０パーセント輝度及び７０パーセント輝度の帯状画像が測定できる位置に配置する。その後、パターンジェネレータ９０からＷＢ調整用画像に対応する画像データを表示装置８０に供給する。
【００３３】
表示装置８０では、マイクロコンピュータ３０がホワイトバランス調整を実行するコマンドを受信したかを判断する（ステップＳ１１０）。ＷＢ調整を実行するためのコマンドは、例えばユーザ等がリモコン装置１２０の操作キーを所定のパターンで操作することでコマンドＩ／Ｆ１３を通じてマイクロコンピュータ３０に送信される。
【００３４】
次に、マイクロコンピュータ３０は、ＷＢ調整を終了するか否かを判断する（ステップＳ１２０）。具体的には、ユーザ等がリモコン装置１２０を所定のパターンで操作してＷＢ調整を終了するコマンドが入力されたか否かを、マイクロコンピュータ３０が判断する。以下、ＷＢ調整を終了するコマンドが入力されないものとして説明を続ける。
【００３５】
マイクロコンピュータ３０は、画面上に表示するＷＢ調整用画面の拡大値を受け付ける（Ｓ１３０）。マイクロコンピュータ３０は、ユーザ等がリモコン装置１２０を操作して入力した拡大値を受け付ける。この拡大値は、後述するようにＷＢ調整用画面における帯状画像の拡大値を決定するためのものである。また、入力される拡大値により拡大される帯状画像の幅は、カラーアナライザ７０の測定用プローブにおける測定径より大きいことが望ましい。
【００３６】
マイクロコンピュータ３０は、ＷＢ調整用画像を受信しているか否かを判断する（ステップＳ１４０）。具体的には、マイクロコンピュータ３０は、画像データにおける同期信号を検出する機能を備えており、入力されたＷＢ調整用画像の同期信号等を検出して画像データが入力されているか否かを判断する。
【００３７】
マイクロコンピュータ３０は、ステップＳ１３０で受け付けた拡大値に基づいてＷＢ調整用画像におけるＢＧ４（３０％輝度）とＢＧ８（７０％輝度）とを拡大して表示する（ステップＳ１５０）。具体的には、マイクロコンピュータ３０は、スケーリング２１の機能によりＷＢ調整用画像を拡大する。画像データにおける各座標と画像との関係は予め登録されており、例えば、ステップＳ１３０で２００パーセントの拡大値が入力された場合は、マイクロコンピュータ３０は入力された画像データにおける水平方向（Ｘ軸）の座標からＢＧ４とＢＧ８との座標位置を割り出し、ＢＧ４とＢＧ８を構成する画素を横方向に２倍に増加させる。このとき、垂直方向（Ｙ軸）に対して拡大する必要がなくなり、処理を簡素化することができる。
【００３８】
図５は、マイクロコンピュータ３０により拡大されるＷＢ調整用画像を説明する図である。図５（ｂ）に示すように、マイクロコンピュータ３０はスケーリング部２１の機能によりは、ＷＢ調整用画像のＢＧ４とＢＧ８の帯状画像を拡大するに際し、各帯状画像を表示装置８０の画面における水平方向に拡大して表示する。また、ＢＧ４及びＢＧ８以外の帯状画像を水平方向に縮小させる。図中点線で囲まれた領域をカラーアナライザ７０の測定用プローブの測定径とすると、表示装置８０には、カラーアナライザ７０のプローブ測定径よりその幅が拡大されたＢＧ４及びＢＧ８が表示される。
【００３９】
ステップＳ１５０で表示装置８０にＢＧ４とＢＧ８が拡大されたＷＢ調整画像が表示され、カラーアナライザ７０により上記拡大箇所が測定されると、ＷＢ調整装置６０は、カラーアナライザ７０から送信された測定結果に基づいて、表示装置８０のホワイトバランス調整を実行する（ステップＳ２１０）。具体的には、ＷＢ調整部６１は、入力された測定結果に基づいてマイクロコンピュータ３０（γ補正部２２）に送信するγ補正係数を記録した修正データを生成する。生成された修正データは、表示装置８０のコマンドＩ／Ｆ１３を介してマイクロコンピュータ３０に送信される。
【００４０】
マイクロコンピュータ３０は、ＷＢ調整装置６０から修正データを受信すると、受信した修正データに記録されたγ補正係数に基づいてγ補正部２２が記憶するテーブルを修正する（ステップＳ１６０）。これにより、γ補正部２２が実行するγ補正の値が修正され、表示装置８０におけるホワイトバランス調整が実行される。
【００４１】
２．第二の実施の形態
第一の実施の形態では、表示装置８０はパターンジェネレータ９０からＷＢ調整画像の供給を受けたが、これに限定されない。図６は、変形例としてのホワイトバランス調整システムを説明するブロック図である。同図では、ＷＢ調整用画像を生成する部位は表示装置８０であり、表示装置８０内部で生成又は記憶されたＷＢ調整用画像を、カラーアナライザ７０に測定させて、ホワイトバランスを調整する。そのため、表示装置８０は、メモリ３１内にＷＢ調整用画像の元となる画像データを記憶しており、ＷＢ調整の開始とともに、画像データを読み出し、ディスプレイ４０に表示する。
【００４２】
３．まとめ：
以上説明したように、ＷＢ調整を実行するに際し、コンポーネント信号により供給されたＷＢ調整用画像の所定輝度領域を拡大して画面上に表示するため、どのようなパターンにより構成されたＷＢ調整用画像であっても、ＷＢ調整を不便なく実行することができる。
【００４３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４４】
【図１】本発明に係るホワイトバランス調整システム１００の構成を説明するブロック図である。
【図２】表示装置８０の構成を説明するブロック図である。
【図３】パターンジェネレータ９０が生成するＷＢ調整用画像を説明するための図である。
【図４】ホワイトバランス調整時における表示装置８０とＷＢ調整装置６０の処理を説明する流れ図である。
【図５】マイクロコンピュータ３０により拡大されるＷＢ調整用画像を説明する図である。
【図６】変形例としてのホワイトバランス調整システムを説明するブロック図である。
【符号の説明】
【００４５】
１１…ドライバ、１２…データＩ／Ｆ、１３…コマンドＩ／Ｆ、２０…画像処理部、２１…スケーリング部、２２…γ補正部、３０…マイクロコンピュータ、３１…メモリ、４０…ディスプレイ、５０…メイン制御部、６０…ホワイトバランス調整装置、６１…ＷＢ調整部、７０…カラーアナライザ、７１…測定部、７２…記憶部、８０…表示装置、９０…パターンジェネレータ、９１…画像データ生成部、１００…ホワイトバランス調整システム、１１０…配線、１２０…リモコン装置
【図１】
2009260731.tif 000003
【図２】
2009260731.tif 000004
【図４】
2009260731.tif 000005
【図６】
2009260731.tif 000006
【図３】
2009260731.tif 000007
【図５】
2009260731.tif 000008